(57)【要約】【課題】  トイレ動作モードを有する携帯端末装置を提供する。【解決手段】  トイレ動作モードの設定と解除を行う設定手段と、設定手段によってトイレ動作モードに設定されている間だけ所定の楽音を発生させる楽音発生手段と、設定手段によってトイレ動作モードに設定されている間に着信した場合に、着信報知をせずに着呼し、所定の応答メッセージを再生後、回線を切断する応答再生手段とを備える。【選択図】    図１
2005277706.tif 000002
【特許請求の範囲】
【請求項１】
トイレ動作モードの設定と解除を行う設定手段と、
前記設定手段によってトイレ動作モードに設定されている間だけ所定の楽音を発生させる楽音発生手段と、
前記設定手段によってトイレ動作モードに設定されている間に着信した場合に、着信報知をせずに着呼し、所定の応答メッセージを再生後、回線を切断する応答再生手段と
を備えたことを特徴とする携帯端末装置。
【請求項２】
前記楽音は、流水音であることを特徴とする請求項１に記載の携帯端末装置。
【発明の詳細な説明】
【技術分野】
【０００１】
本発明は、トイレ動作モードを有する携帯端末装置に関する。
【背景技術】
【０００２】
個室トイレを利用する際の用便中の音を消すために、水を流すことが行われているが、水の節約という点では問題がある。このような問題を解決するために、水を流すことなく、あたかも水を流したような音を発生させる装置が設置されているトイレが知られている。また、携帯型で擬似流水音を発生させることが可能な装置も知られている（例えば、特許文献１参照）。
【特許文献１】登録実用新案第３００４４８２号公報
【発明の開示】
【発明が解決しようとする課題】
【０００３】
しかしながら、特許文献１に示す装置にあっては、流水音を発生させるだけの目的で常に携行するのは困難であるという問題がある。
一方、近年は携帯電話端末を常に携帯されていることが多いが、個室トイレに入っているときに電話がかかってくるとあわててしまい、便器内に携帯端末装置を落としてしまうという危険性がある。
【０００４】
本発明は、このような事情に鑑みてなされたもので、トイレ動作モードを有する携帯端末装置を提供することを目的とする。
【課題を解決するための手段】
【０００５】
請求項１に記載の発明は、トイレ動作モードの設定と解除を行う設定手段と、前記設定手段によってトイレ動作モードに設定されている間だけ所定の楽音を発生させる楽音発生手段と、前記設定手段によってトイレ動作モードに設定されている間に着信した場合に、着信報知をせずに着呼し、所定の応答メッセージを再生後、回線を切断する応答再生手段とを備えたことを特徴とする。
【０００６】
請求項２に記載の発明は、前記楽音は、流水音であることを特徴とする。
【発明の効果】
【０００７】
本発明によれば、普及率の高い携帯端末装置内に用便中の音を消すための楽音再生機能を備えたため、流水音を発生させるだけの専用装置を常に携行することなしに、消音機能を利用することができるという効果が得られる。また、トイレ動作モードに設定されている間の着信は、着信報知をすることなく、自動着呼して応答メッセージを再生するようにしたため、安心して用を足すことが可能になる。
【発明を実施するための最良の形態】
【０００８】
以下、本発明の一実施形態による携帯端末装置を図面を参照して説明する。図１は同実施形態の構成を示すブロック図である。この図において、符号１は、携帯端末装置の動作を統括するＣＰＵである。符号２は、携帯端末装置を動作させるための通信プログラム等が記憶されたＲＯＭである。符号３は、携帯端末装置の使用者特有の着信メロディデータ、流水音データや使用者が任意に機能設定した設定情報などを記憶するＲＡＭである。符号４は、ダイヤルキーやファンクションキー等で構成される操作部である。符号５は、液晶のディスプレイ等で構成される表示部である。符号６は、図示しない基地局との間で無線による通信を確立して通信を行う通信部である。符号７は、携帯端末装置を使用して、通話する場合の音声処理を行う音声処理部であり、通信部６において受信した通話音声信号をスピーカ８より発音させ、マイク９において集音した通話音声を信号に変換して、通信部６を介して送信する。符号１０は、着信メロディや流水音等の音を発生させる音源であり、発生させた音を着信音スピーカ１１から発音させる。
【０００９】
次に、図２を参照して、図１に示す携帯端末装置のトイレ動作モード時の動作を説明する。図２は、図１に示す携帯端末装置におけるトイレ動作モード時の動作を示すフローチャートである。まず、使用者は、操作部４を操作して、トイレ動作モード時に発音させる楽音データ（楽曲や流水音のデータ）をダウンロードして、ＲＡＭ３に記憶させる。このとき、ＣＰＵ１は、ＲＡＭ３に記憶する楽音データに対して、各楽音データを識別する識別番号と識別名称をダウンロードした順に付与する。そして、ＲＡＭ３に複数の楽音データが記憶されている場合、使用者は、操作部４を操作して、トイレ動作モード時に発生させる楽音選択を指示する。これを受けて、ＣＰＵ１は、ＲＡＭ３から楽音データの識別番号と識別名称を読み出し、表示部５へ表示する。使用者は、操作部４を操作して、表示部５に表示されている楽音データリストの中から、トイレ動作モード時に発生させる楽音の識別番号を選択する（ステップＳ１）。これを受けて、ＣＰＵ１は、トイレ動作モード時に発生させる楽音として、操作部４において選択された楽音データの識別番号をＲＡＭ３へ記憶する。ここでは、トイレ動作モード時に発生させる楽音として、「流水音」が選択されたものとして説明する。
【００１０】
続いて、ＣＰＵ１は、通常の待ち受け状態とする（ステップＳ２）。そして、使用者は、トイレ動作モードにしたいときに、操作部４において、トイレ動作モードに切り替える操作を行う。トイレ動作モードへの切り替えは、操作部４の所定のファンクションキーを押下することにより行う。ＣＰＵ１は、待ち受け状態において、常にトイレ動作モードへ切り替えるためのファンクションキーが押下されたか否かを監視し（ステップＳ３）、ファンクションキーが押下されたことを受けて、トイレ動作モードへ切り替える。
【００１１】
次に、ＣＰＵ１は、トイレ動作モードへ切り替えたのを受けて、ＲＡＭ３に記憶されているトイレ動作モード時に発生させる楽音の識別番号を読み出し、この識別番号を持つ楽音データ（ここでは、流水音のデータ）をＲＡＭ３から読み出す。そして、この読み出した楽音データを音源１０へ出力するとともに、音源１０に対して楽音データの再生指示を出力する。これにより、着信音スピーカ１１から流水音が発音されることとなる（ステップＳ４）。
【００１２】
続いて、ＣＰＵ１は、通信部６において着信があったか否かを判定し（ステップＳ５）、着信がなければ、音源１０による楽音データ再生が続行する。一方、トイレ動作モード時において着信があった場合、ＣＰＵ１は、着信音を発音させることなく、通信部６に対して、自動的に着呼するように指示を出す。これを受けて、通信部６は、着呼する。そして、ＣＰＵ１は、ＲＯＭ２に記憶されている自動応答メッセージを読み出し、音声処理部７へ出力する。音声処理部７は、この自動応答メッセージがあたかもマイク９から集音した音声のように処理し、この自動応答メッセージの音声信号を生成し、通信部６へ出力する。これを受けて通信部６は、この音声信号を発呼した電話機へ送信する。これにより、自動応答メッセージが相手の電話機において再生されることとなる（ステップＳ６）。この自動応答メッセージは、例えば「ただいま電話にでることができないので、後ほどおかけ直しください」というメッセージが再生される。そして、ＣＰＵ１は、この自動応答メッセージの再生が終了した時点で、通信部６に対して、回線切断指示を出力する。これを受けて通信部６は、回線を切断する（ステップＳ７）。ＣＰＵ１は、トイレ動作モードに設定されている間は、ステップＳ４〜Ｓ７の動作を繰り返し実行する。これにより、トイレ動作モードに設定されている間は、流水音が再生され続けるとともに、着信があった場合には、自動で着呼して、応答メッセージを再生後、自動的に回線切断が行われることとなる。
【００１３】
次に、使用者は、トイレ動作モードを解除したい場合、再びファンクションキーを押下する。これを受けて、ＣＰＵ１は、トイレ動作モードを解除し、通常の待ち受け状態となる。これにより、流水音の再生が停止するとともに、通常の着信が行えるようになる。
【００１４】
なお、自動応答メッセージは、使用者が発声したメッセージの声をマイク９で集音し、この音声を音声処理部で処理することにより得られる音声データをＲＡＭ３に記憶しておき、自動着呼した場合に、この音声データを読み出して、再生するようにしてもよい。
【００１５】
このように、携帯端末装置内に用便中の音を消すための楽音再生機能を備えたため、流水音を発生させるだけの専用装置を常に携行することなしに、消音機能を利用することができる。また、トイレ動作モードに設定されている間の着信は、着信報知をすることなく、自動着呼して応答メッセージを再生するようにしたため、安心して用を足すことができる。
【００１６】
また、図１における処理部の機能を実現するためのプログラムをコンピュータ読み取り可能な記録媒体に記録して、この記録媒体に記録されたプログラムをコンピュータシステムに読み込ませ、実行することによりトイレ動作モード処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００１７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００１８】
【図１】本発明の一実施形態の構成を示すブロック図である。
【図２】図１に示す装置の動作を示すフローチャートである。
【符号の説明】
【００１９】
１・・・ＣＰＵ、２・・・ＲＯＭ、３・・・ＲＡＭ、４・・・操作部、５・・・表示部、６・・・通信部、７・・・音声処理部、８・・・スピーカ、９・・・マイク、１０・・・音源、１１・・・着信音スピーカ
【図１】
2005277706.tif 000003
【図２】
2005277706.tif 000004